(57)【要約】      （修正有）【課題】有効領域を小さくせずに避雷針用の電極を外周に配置するタッチスクリーンパネルを提供する。【解決手段】上側電極基板２０２の上側透明導電膜２０７の対向する２つの辺に形成された第１及び第２電極部２０８、２０９と、第２電極基板の下側透明導電膜２１６の、前記２つの辺とは異なる対向する２つの辺に形成された第３及び第４電極部２１７、２１８と、第１及び第２電極部と、第３及び第４電極部から電気信号を入力して処理するインターフェース回路と、第１及び第２電極基板の同じ辺に設けられ、第１及び第２電極部と、第３及び第４電極部のそれぞれとインターフェース回路とを接続する接続部と、を有する。インターフェース回路は、接続部が設けられた辺に形成された第１、第２、第３及び第４電極部のいずれかと接続する配線経路のインピーダンスを、その他の電極部と接続する配線経路のインピーダンスよりも高くするための部材を有する。【選択図】図２
2018063678.tif 000002
【特許請求の範囲】
【請求項１】
表面に矩形の第１透明導電膜が形成されている第１電極基板と、
表面に矩形の第２透明導電膜が形成されている第２電極基板と、
前記第１電極基板の前記第１透明導電膜の対向する２つの辺に形成された第１及び第２電極部と、
前記第２電極基板の前記第２透明導電膜の、前記２つの辺とは異なる対向する２つの辺に形成された第３及び第４電極部と、
前記第１及び第２電極部と、前記第３及び第４電極部から電気信号を入力して処理するインターフェース回路と、
前記第１及び第２電極基板の同じ辺に設けられ、前記第１及び第２電極部と、前記第３及び第４電極部のそれぞれと前記インターフェース回路とを接続する接続部と、を有し、
前記インターフェース回路は、前記接続部が設けられた辺に形成された前記第１、第２、第３及び第４電極部のいずれかと接続する配線経路のインピーダンスを、その他の電極部と接続する配線経路のインピーダンスよりも高くするための部材を有することを特徴とするタッチスクリーンパネル。
【請求項２】
前記インターフェース回路は、
前記第１、第２、第３及び第４電極部のそれぞれと接続する複数の配線と、
前記複数の配線のそれぞれに直列に接続されたフェライトビーズと、
前記複数の配線のそれぞれと接地との間に接続されたダイオードと、
を有することを特徴とする請求項１に記載のタッチスクリーンパネル。
【請求項３】
前記部材はフェライトビーズであり、前記接続部が設けられた辺に形成された前記第１、第２、第３及び第４電極部のいずれかと接続する配線のフェライトビーズのインピーダンスは、その他の電極部と接続するフェライトビーズのインピーダンスよりも高いことを特徴とする請求項１に記載のタッチスクリーンパネル。
【請求項４】
前記第１及び第２電極部は、前記第１透明導電膜の有効領域のＹ軸方向の対向する辺に沿って形成されており、前記第３及び第４電極部は、前記第２透明導電膜の有効領域のＸ軸方向の対向する辺に沿って形成されていることを特徴とする請求項１乃至３のいずれか１項に記載のタッチスクリーンパネル。
【請求項５】
前記第１及び第２電極部は、前記第１透明導電膜の有効領域のＸ軸方向の対向する辺に沿って形成されており、前記第３及び第４電極部は、前記第２透明導電膜の有効領域のＹ軸方向の対向する辺に沿って形成されていることを特徴とする請求項１乃至３のいずれか１項に記載のタッチスクリーンパネル。
【請求項６】
前記第１電極基板は更に前記接続部と前記第１及び第２電極部とを接続する金属線、前記第２電極基板は更に前記接続部と前記第３及び第４電極部とを接続する金属線をそれぞれ有することを特徴とする請求項１乃至５のいずれか１項に記載のタッチスクリーンパネル。
【請求項７】
前記第１電極基板は、前記第２電極基板の上側に配置されることを特徴とする請求項１乃至６のいずれか１項に記載のタッチスクリーンパネル。
【請求項８】
表面に矩形の第１透明導電膜が形成されている第１電極基板と、
表面に矩形の第２透明導電膜が形成されている第２電極基板と、
前記第１電極基板の前記第１透明導電膜の対向する２つの辺に形成された第１及び第２電極部と、
前記第２電極基板の前記第２透明導電膜の、前記２つの辺とは異なる対向する２つの辺に形成された第３及び第４電極部と、
前記第１及び第２電極基板の同じ辺に設けられ、前記第１及び第２電極部と、前記第３及び第４電極部からの配線を外部に出力するための接続部と、を有するタッチスクリーンパネルから出力される電気信号を受け取って出力するインターフェース回路であって、
前記接続部が設けられた辺に形成された前記第１、第２、第３及び第４電極部のいずれかと接続する配線経路のインピーダンスを、その他の電極部と接続する配線経路のインピーダンスよりも高くするための部材を有することを特徴とするインターフェース回路。
【請求項９】
前記インターフェース回路は、更に
前記第１、第２、第３及び第４電極部のそれぞれと接続する複数の配線を受け取るコネクタと、
前記コネクタを経由した複数の配線のそれぞれに直列に接続されたフェライトビーズと、
前記コネクタを経由した複数の配線のそれぞれと接地との間に接続されたダイオードと、を有し、
前記接続部が設けられた辺に形成された前記第１、第２、第３及び第４電極部のいずれかと接続する配線のフェライトビーズのインピーダンスは、その他の電極部と接続するフェライトビーズのインピーダンスよりも高いことを特徴とする請求項８に記載のインターフェース回路。
【請求項１０】
請求項１乃至７のいずれか１項に記載のタッチスクリーンパネルを有する情報処理装置。
【請求項１１】
請求項８又は９に記載のインターフェース回路を有する情報処理装置。
【発明の詳細な説明】
【技術分野】
【０００１】
本発明は、タッチスクリーンパネル、インターフェース回路、及び情報処理装置に関する。
【背景技術】
【０００２】
電子機器の表示部に対して直接入力することができるタッチスクリーンパネルが広く用いられている。このタッチスクリーンパネルは、ユーザが直接、表示部の画面に触れて操作するため、従来から静電気破壊に対する解決策として様々な技術が提案されている。例えば特許文献１は、透明導電膜の外周を囲むように、避雷針となる電極を配置することで、タッチスクリーンパネルを形成しているＩＣやＬＳＩ等の静電気破壊を回避する技術を提案している。
【先行技術文献】
【特許文献】
【０００３】
【特許文献１】特開２０１５−１３３０８２号公報
【発明の概要】
【発明が解決しようとする課題】
【０００４】
近年のタッチスクリーンパネルでは、小型化やデザイン性の観点から、狭額縁化が求められている。即ち、タッチスクリーンパネルの外形サイズを小さくしつつ、ユーザがタッチできる有効領域を広げることが求められている。しかしながら上記特許文献１に記載の技術では、避雷針用の電極をタッチスクリーンパネルの外周に配置する必要があるため、避雷針となる電極を配置しない場合に比べて、タッチスクリーンパネルの外形サイズが増大してしまうという課題がある。また、外形サイズを増大させずに避雷針となる電極を配置すると、タッチスクリーンパネルの有効領域が小さくなってしまうという課題がある。
【０００５】
本発明の目的は、上記従来技術の課題を解決することにある。
【０００６】
本発明の目的は、タッチスクリーンパネルの狭額縁化と静電気破壊の対策を両立する技術を提供することにある。
【課題を解決するための手段】
【０００７】
上記目的を達成するために本発明の一態様に係るタッチスクリーンパネルは以下のような構成を備える。即ち、
表面に矩形の第１透明導電膜が形成されている第１電極基板と、
表面に矩形の第２透明導電膜が形成されている第２電極基板と、
前記第１電極基板の前記第１透明導電膜の対向する２つの辺に形成された第１及び第２電極部と、
前記第２電極基板の前記第２透明導電膜の、前記２つの辺とは異なる対向する２つの辺に形成された第３及び第４電極部と、
前記第１及び第２電極部と、前記第３及び第４電極部から電気信号を入力して処理するインターフェース回路と、
前記第１及び第２電極基板の同じ辺に設けられ、前記第１及び第２電極部と、前記第３及び第４電極部のそれぞれと前記インターフェース回路とを接続する接続部と、を有し、
前記インターフェース回路は、前記接続部が設けられた辺に形成された前記第１、第２、第３及び第４電極部のいずれかと接続する配線経路のインピーダンスを、その他の電極部と接続する配線経路のインピーダンスよりも高くするための部材を有することを特徴とする。
【発明の効果】
【０００８】
本発明によれば、静電気の放電を防ぐための避雷針等を設けずに、透明導電膜への静電気によるダメージを抑制することができる。また、タッチスクリーンパネルの外形サイズに影響を与えることなく透明導電膜の静電気破壊を防止できるという効果がある。
【０００９】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１０】
添付図面は明細書に含まれ、その一部を構成し、本発明の実施形態を示し、その記述と共に本発明の原理を説明するために用いられる。
【図１】本発明の実施形態１に係る情報処理装置の構成を例示するブロック図。
【図２】実施形態１に係るタッチスクリーンパネルのハードウェア構成を説明する分解斜視図。
【図３】図２の断面Ａ、断面Ｂ、断面Ｃ、断面Ｄの断面形状を示す断面図。
【図４】実施形態１に係るタッチスクリーンＩ／Ｆの詳細構成を説明する図。
【図５】実施形態１に係るタッチスクリーンパネルの額縁付近に静電気放電が発生した場合の放電経路を説明する断面図。
【図６】Ｙ軸下電極部２１７付近の額縁に静電気放電が発生した場合の放電経路のインピーダンス概念図。
【図７】実施形態２に係るタッチスクリーンパネルの構成を説明する分解斜視図（Ａ）と、実施形態２に係る操作部制御基板の回路構成を説明する図（Ｂ）。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１２】
［実施形態１］
図１は、本発明の実施形態１に係る情報処理装置１００の構成を例示するブロック図である。
【００１３】
情報処理装置１００は、制御部１０１と操作部１０２を備えており、操作部１０２を介した情報の入出力が可能となっている。制御部１０１は、メインＣＰＵやＤＲＡＭ（いずれも不図示）を含んでおり、操作部のＣＰＵ１１１との通信や、表示部１０３に表示する描画データの作成や、タッチスクリーンコントローラ１１３からの座標データの認識を行う。
【００１４】
操作部１０２は、操作部制御基板１１０と、表示部１０３と、タッチスクリーンパネル１０４を備える。また操作部制御基板１１０は、ＣＰＵ１１１と、デシリアライザ１１２と、タッチスクリーンコントローラ１１３を備える。ＣＰＵ１１１は、表示部１０３のバックライト点灯制御や、図１に図示していない操作部制御基板１１０上の各種デバイスの制御を行う。デシリアライザ１１２は、制御部１０１からシリアル転送される描画データを、パラレル変換して表示部１０３に転送する。尚、表示部１０３の構成によっては、制御部１０１からシリアル転送された描画データを受信して表示することもできる。その場合、デシリアライザ１１２は不要である。タッチスクリーンコントローラ１１３は、ユーザがタッチスクリーンパネル１０４にタッチした際に、そのタッチスクリーンパネル１０４から送出されるアナログ座標データを、デジタルデータに変換して制御部１０１に転送する。表示部１０３は、実施形態１では、バックライトと液晶ディスプレイを含む表示部である。この表示部１０３は、後述するタッチスクリーンパネル１０４の下部に配置されることにより、ユーザが表示部１０３の表示を視認しながら、タッチスクリーンパネル１０４を直感的にタッチして、情報の入力や各種指示を行うことができる。タッチスクリーンパネル１０４は、抵抗膜方式のタッチスクリーンパネルであり、その詳細は後述する。タッチスクリーンＩ／Ｆ１１４は、タッチスクリーンパネル１０４とタッチスクリーンコントローラ１１３のインターフェース回路であり、配線やコネクタ、回路素子を含んでいる。その詳細は後述する。
【００１５】
図２は、実施形態１に係るタッチスクリーンパネル１０４のハードウェア構成を説明する分解斜視図である。
【００１６】
タッチスクリーンパネル１０４は、加飾フィルム２０１、上側電極基板２０２、下側電極基板２０３を有している。このタッチスクリーンパネル１０４は、表示部１０３の表示画面上に配置される。ユーザが、加飾フィルム２０１の上面から透視した表示画面に表示された指示に従って、指やペンなどで加飾フィルム２０１にタッチすることにより、そのタッチされた位置を検出する。ユーザがタッチすると、上側電極基板２０２と下側電極基板２０３の後述する透明導電膜同士が接触し、その接触した位置が示すアナログ座標データを、タッチスクリーンコントローラ１１３がデジタルデータに変換して制御部１０１へ転送する。これにより制御部１０１は、ユーザがタッチした位置のＸ及びＹ軸座標を取得することができる。
【００１７】
加飾フィルム２０１は、例えば、ＰＥＴ（Polyethylene terephthalate）製のフィルムである。加飾フィルム２０１は、下側電極基板２０３の下側に配置される表示部１０３の表示画面を見るための透明部２０４と、透明部２０４の周囲に設けられる所定幅の枠部２０５とを備えている。この枠部２０５は、例えば、所定の色又は模様等の加飾用の印刷を施した部分である。加飾フィルム２０１は、上側電極基板２０２の上側に配置されており、例えば粘着剤等で上側電極基板２０２に貼り付けられている。
【００１８】
上側電極基板２０２は、可撓性を有する上側透明絶縁基材２０６を備えており、上側透明絶縁基材２０６は、矩形の透明フィルムやガラス等の透明基板により形成されている。この上側透明絶縁基材２０６の下面の一部には、ＩＴＯ（tin-doped indium oxide）等により上側透明導電膜２０７が形成される。この上側透明導電膜２０７のＹ軸方向に平行な２辺には、一対のＸ軸左電極部２０８とＸ軸右電極部２０９が形成される。更に、これら電極部２０８，２０９とは異なる一辺には、外部に引き出されるフレキシブル基板２２６の上側配線２２４，２２５と電極部２０８，２０９とを接続する接続部２１２，２１３を備える。ここで接続部２１２は、金属線２１０によりＸ軸左電極部２０８と接続され、接続部２１３は、金属線２１１によりＸ軸右電極部２０９と接続される。ここで、これら電極部２０８，２０９、金属線２１０，２１１、及び接続部２１２，２１３は、銀ペーストを用いたスクリーン印刷により形成されている。
【００１９】
ここで、上側透明導電膜２０７を上側透明絶縁基材２０６の下面の一部に形成する際に、上側透明導電膜２０７を必要な箇所にだけパターンエッチングしている。そして、電極部２０８，２０９は、それぞれ上側透明導電膜２０７上に形成されていて、上側透明導電膜２０７と接続されている。また金属線２１０，２１１と接続部２１２，２１３の箇所には上側透明導電膜２０７が形成されず、これらが上側透明導電膜２０７と接触するのを防いでいる。
【００２０】
尚、ここで、金属線２１０，２１１と接続部２１２，２１３の箇所には上側透明導電膜２０７のパターンエッチングを行わず、上側透明絶縁基材２０６の下面に形成することもできる。その場合、金属線２１０，２１１及び接続部２１２，２１３と上側透明導電膜２０７との間には、絶縁するための不図示のレジストを形成し、それぞれが上側透明導電膜２０７と接触するのを防ぐようにしても良い。
【００２１】
下側電極基板２０３は下側透明絶縁基材２１５を備えており、下側透明絶縁基材２１５は、矩形の透明フィルムやガラス等の透明基板により形成されている。下側透明絶縁基材２１５の上面の一部には、ＩＴＯ（tin-doped indium oxide）等により下側透明導電膜２１６が形成される。下側透明導電膜２１６のＸ軸方向の平行な２辺には、一対のＹ軸下電極部２１７、Ｙ軸上電極部２１８が形成される。更に、電極部２１７，２１８が設けられた２つの辺の内、上側電極基板２０２のフレキシブル基板２２６を接続する辺に対応する辺は、そのフレキシブル基板２２６の下側配線２２２，２２３と電極部２１７，２１８とを接続する接続部２２０，２２１を備える。ここでＹ軸上電極部２１８と接続部２２０とは直接接続され、Ｙ軸下電極部２１７と接続部２２１とは金属線２１９により接続される。ここで、これら電極部２１７，２１８、金属線２１９、接続部２２０，２２１は、銀ペーストを用いたスクリーン印刷により形成されている。
【００２２】
ここでは、下側透明導電膜２１６を側透明絶縁基材２１５の上面の一部に形成する際に、下側透明導電膜２１６を必要な箇所にだけパターンエッチングしている。ここで電極部２１７，２１８は、それぞれ下側透明導電膜２１６上に形成されていて、下側透明導電膜２１６と接続されている。また金属線２１９と接続部２２０，２２１の箇所には、下側透明導電膜２１６が形成されず、これらが下側透明導電膜２１６と接触するのを防いでいる。また或いは、下側透明導電膜２１６のパターンエッチングを行わず、下側透明導電膜２１６の上面の全体に形成することもできる。その場合、金属線２１９及び接続部２２０，２２１と下側透明導電膜２１６との間には、絶縁するための不図示のレジストを形成し、それぞれが下側透明導電膜２１６と接触するのを防ぐようにしても良い。
【００２３】
ここで上側透明導電膜２０７及び下側透明導電膜２１６間の空隙を確保するために、上側透明導電膜２０７及び下側透明導電膜２１６のいずれか一方の、これらが対向する表面に、絶縁性で微小寸法のドット状スペーサ２２８が、所定の間隔で形成される。そして、上側電極基板２０２と下側電極基板２０３とを粘着剤等により貼り合わせる。このとき、Ｘ軸の電極部２０８，２０９及びＹ軸の電極部２１７，２１８が方形配置となるように対向させ、各々の電極部を含む周縁部を、後述するレジストにより絶縁した状態にする。また或いは、上側のＸ軸の電極部２０８，２０９及び下側のＹ軸の電極部２１７，２１８は、レジストを使用せずに、絶縁性のスペーサを介して対向させ、各々の電極部とスペーサとを粘着剤等により貼り合わせても良い。併せて、フレキシブル基板２２６の上側配線２２４，２２５と接続部２１２，２１３、及びフレキシブル基板２２６の下側配線２２２，２２３と接続部２２０，２２１を、それぞれ電気的に接続する。
【００２４】
次に、実施形態１に係るタッチスクリーンパネル１０４の図２の断面Ａ、断面Ｂ、断面Ｃ、断面Ｄについて、図３を参照して説明する。
【００２５】
図３は、図２の断面Ａ、断面Ｂ、断面Ｃ、断面Ｄの断面形状を示す断面図である。尚、図３において、図２と共通する箇所は同じ参照番号で示している。
【００２６】
図３（Ａ）は、図２で説明したタッチスクリーンパネル１０４の断面Ａの断面図である。
【００２７】
加飾フィルム２０１と上側電極基板２０２とが粘着剤３０５で貼り付けられている。上側電極基板２０２には、上側透明絶縁基材２０６上の一部に上側透明導電膜２０７が形成されていて、上側透明導電膜２０７が形成されない箇所に、接続部２１３とＸ軸右電極部２０９とを接続する金属線２１１が形成されている。
【００２８】
また下側電極基板２０３では、下側透明絶縁基材２１５上の一部に下側透明導電膜２１６が形成されていて、下側透明導電膜２１６が形成されない箇所に、Ｙ軸下電極部２１７と接続部２２１とを接続する金属線２１９が形成されている。また下側透明導電膜２１６にＹ軸上電極部２１８が接続されている。そして、上側電極基板２０２の金属線２１１と、下側電極基板２０３の金属線２１９及び下側Ｙ軸電極部２１８のそれぞれには、絶縁するためのレジスト３０１，３０２が形成されていて、これらは粘着剤３０４で貼り合わされている。
【００２９】
図３（Ｂ）は、図２で説明したタッチスクリーンパネル１０４の断面Ｂの断面図である。
【００３０】
加飾フィルム２０１と上側電極基板２０２とが粘着剤３０５で接着されている。上側電極基板２０２では、上側透明絶縁基材２０６上に上側透明導電膜２０７が形成されていて、上側透明導電膜２０７上にＸ軸右電極部２０９が接続されている。
【００３１】
一方、下側電極基板２０３には、下側透明絶縁基材２１５上の一部に下側透明導電膜２１６が形成されていて、下側透明導電膜２１６が形成されない箇所に、Ｙ軸下電極部２１７と接続部２２１とを接続する金属線２１９が形成されている。そして上側電極基板２０２のＸ軸右電極部２０９と、下側電極基板２０３の金属線２１９上にはそれぞれ、絶縁するためのレジスト３０１，３０２が形成されていて、それらは粘着剤３０４で貼り合わされている。
【００３２】
図３（Ｃ）は、図２で説明したタッチスクリーンパネル１０４の断面Ｃの断面図である。
【００３３】
加飾フィルム２０１と上側電極基板２０２とが粘着剤３０５で貼り付けられている。上側電極基板２０２には、上側透明絶縁基材２０６上に上側透明導電膜２０７が形成されていて、上側透明導電膜２０７上にＸ軸左電極部２０８が接続されている。
【００３４】
また下側電極基板２０３では、下側透明絶縁基材２１５上に下側透明導電膜２１６が形成されている。そして、上側電極基板２０２のＸ軸左電極部２０８と、下側電極基板２０３の下側透明導電膜２１６のそれぞれには、絶縁するためのレジスト３０１，３０２が形成されていて、それらは粘着剤３０４で貼り合わせられている。
【００３５】
図３（Ｄ）は、図２で説明したタッチスクリーンパネル１０４の断面Ｄの断面図である。
【００３６】
加飾フィルム２０１と上側電極基板２０２とが粘着剤３０５で貼り付けられている。上側電極基板２０２には、上側透明絶縁基材２０６上の一部に上側透明導電膜２０７が形成されている。
【００３７】
また下側電極基板２０３では、下側透明絶縁基材２１５上に下側透明導電膜２１６が形成されていて、下側透明導電膜２１６上にＹ軸下電極部２１７が接続されている。そして上側電極基板２０２の上側透明導電膜２０７と、下側電極基板２０３のＹ軸下電極部２１７のそれぞれには、絶縁するためのレジスト（絶縁物）３０１，３０２が形成されていて、これらは粘着剤３０４で接着されている。
【００３８】
図４は、実施形態１に係るタッチスクリーンＩ／Ｆ１１４の詳細構成を説明する図である。
【００３９】
下側配線２２２，２２３、上側配線２２４，２２５は、図２で説明した、フレキシブル基板２２６に形成される信号線の配線を示し、これら信号線は、コネクタ４０５を介して操作部制御基板１１０と接続される。
【００４０】
フェライトビーズ４０６〜４０９は、各信号に混入するノイズ成分を除去するために、複数の配線のそれぞれに直列に接続される。図４では、実施形態１に係るフェライトビーズ４０６〜４０９のインピーダンスの一例を示しており、フェライトビーズ４０６，４０８，４０９はいずれも６０Ωであり、フェライトビーズ４０７は１．２ｋΩである。実施形態１では、このようにフェライトビーズ４０７のインピーダンスを、他のフェライトビーズのインピーダンスよりも高くすることで、透明導電膜の静電気破壊を防止している。これに関しては詳しく後述する。ＴＶＳ(Transient Voltage Suppressor)ダイオード４１０〜４１３は、静電気破壊からタッチスクリーンコントローラ１１３を保護するために実装される。配線２２２〜２２５を介して操作部制御基板１１０に流入した静電気は、一部がフェライトビーズ４０６〜４０９により除去される。更に、残りが、ＴＶＳダイオード４１０〜４１３を介してＧＮＤ（接地）に逃がされることで、タッチスクリーンコントローラ１１３の破壊を防止している。
【００４１】
尚、実施形態では、各配線のインピーダンスを互いに異なる値にする部材としてフェライトビーズを用いたが、本発明はそれに限らず、その抵抗値を変更できるものであれば良い。
【００４２】
図５は、実施形態１に係るタッチスクリーンパネル１０４の額縁付近に静電気放電が発生した場合の放電経路を説明する断面図である。尚、図５において、前述の図３と共通する部分は同じ参照番号で示し、それらの説明は省略する。
【００４３】
図５（Ａ）は、Ｙ軸上電極部２１８付近の額縁に静電気放電が発生した場合の放電経路を図示している。放電された静電気は、経路５００を辿って、接続部２１３とＸ軸右電極部２０９とを接続する金属線２１１に帯電する。ここで上側透明導電膜２０７と金属線２１１は、前述した通りエッチングにより分離されているため、上側透明導電膜２０７は静電気の影響を受けない。こうして金属線２１１に帯電した静電気は、接続部２１３、配線２２５を介して操作部制御基板１１０に流入し、操作部制御基板１１０上のＴＶＳダイオード４１３を介してＧＮＤに逃がされる。
【００４４】
図５（Ｂ）は、Ｘ軸右電極部２０９付近の額縁に静電気放電が発生した場合の放電経路を図示している。
【００４５】
放電された静電気は、経路５０１を辿って上側透明導電膜２０７に帯電した後、経路５０２で示すように、よりインピーダンスの低いＸ軸右電極部２０９に流入する。この場合、上側透明導電膜２０７の一部は静電気によるダメージを受けるが、その部分はＸ軸右電極部２０９よりも外側の領域、即ち、タッチスクリーンパネルの有効領域の外側であるため、問題無い。Ｘ軸右電極部２０９に流入した静電気は、金属線２１１、接続部２１３、配線２２５を介してを介して操作部制御基板１１０に流入し、操作部制御基板１１０上のＴＶＳダイオード４１３を介してＧＮＤに逃がされる。
【００４６】
図５（Ｃ）は、Ｘ軸左電極部２０８付近の額縁に静電気放電が発生した場合の放電経路を図示している。放電された静電気は、経路５０３を辿って上側透明導電膜２０７に帯電した後、経路５０４で示すように、よりインピーダンスの低いＸ軸左電極部２０８に流入する。この場合、上側透明導電膜２０７の一部は静電気によるダメージを受けるが、この部分はＸ軸左電極部２０８よりも外側の領域、即ち、タッチスクリーンパネルの有効領域の外側であるため問題無い。Ｘ軸左電極部２０８に流入した静電気は、金属線２１０、接続部２１２、配線２２４を介して操作部制御基板１１０に流入し、操作部制御基板１１０上のＴＶＳダイオード４１０を介してＧＮＤに逃がされる。
【００４７】
図５（Ｄ）は、Ｙ軸下電極部２１７付近の額縁に静電気放電が発生した場合の放電経路を図示している。放電された静電気は、経路５０６を辿って上側透明導電膜２０７に帯電した後、経路５０７で示すように、よりインピーダンスの低いＹ軸下電極部２１７に２次放電する。この場合、上側透明導電膜２０７の一部は静電気によるダメージを受けるが、その部分はＹ軸下電極部２１７よりも外側の領域、即ち、タッチスクリーンパネルの有効領域の外側であるため問題無い。そしてＹ軸下電極部２１７に帯電した静電気は、大部分がＹ軸下電極部２１７及び金属線２１９、配線２２３を介して操作部制御基板１１０に流入する。そして操作部制御基板１１０に流入した静電気は、操作部制御基板１１０上のＴＶＳダイオード４１２を介してＧＮＤに逃がされる。
【００４８】
ここで注目すべきは、Ｙ軸下電極部２１７及び金属線２１９を辿る経路長が長いことによるインピーダンスの増大が問題となり、経路５０８で示すように、Ｙ軸下電極部２１７に帯電した静電気の一部が下側透明導電膜２１６に流入する可能性があることである。この場合、Ｙ軸下電極部２１７よりも内側の有効領域にある下側透明導電膜２１６がダメージを受けるため問題となる。
【００４９】
即ち、図２のように、外部と接続するフレキシブル基板２２６が設けられた辺にＹ軸上電極部２１８が形成され、その対向する辺にＹ軸下電極部２１７が形成されていて、Ｙ軸下電極部２１７付近の額縁に静電気放電が発生を想定する。このとき静電気放電は、最も近い上側透明導電膜２０７に帯電される。ここでＹ軸下電極部２１７は、Ｙ軸上電極部２１８よりも金属線２１９の分インピーダンスが高くなっているため、上側透明導電膜２０７に帯電された静電気は、下側透明導電膜２１６を通ってＹ軸上電極部２１８側に放電される。これにより、下側透明導電膜２１６の有効領域が損傷する恐れがある。そこで、Ｙ軸上電極部２１８から接続部２２０、配線２２２、そしてインターフェース回路への経路のインピーダンスを、他の電極部２１７、２０８，２０９からの配線の経路のインピーダンスよりも高くする。これによりインピーダンスが低い方への放電を防止することができ、これにより、電極部から透明導電膜の有効領域への放電を抑制して、透明導電膜の有効領域の損傷を防止するのが本実施形態の特徴である。
【００５０】
ここで、Ｙ軸下電極部２１７付近の額縁に静電気放電が発生した場合の放電経路に関して、図６を参照してインピーダンスの概念を含めて説明する。
【００５１】
図６は、実施形態１に係るタッチスクリーンパネル１０４のＹ軸下電極部２１７付近の額縁に静電気放電が発生した場合の放電経路のインピーダンスを説明する図である。
【００５２】
図５（Ｄ）に示す断面Ｄ側の額縁付近に静電気放電が発生した場合の放電経路は、下側透明導電膜２１６、Ｙ軸上電極部２１８、接続部２２０、配線２２２、フェライトビーズ４０７、ＴＶＳダイオード４１１辿ってＧＮＤに逃げる経路がある。これを経路Ａとする。更に、Ｙ軸下電極部２１７、金属線２１９、接続部２２１、配線２２３、フェライトビーズ４０８、ＴＶＳダイオード４１２辿ってＧＮＤに逃げる経路がある。これを経路Ｂとする。このように２通りの経路（以下、経路Ａ，Ｂ）が存在する。
【００５３】
図６において、インピーダンス６０３は、下側透明導電膜２１６のインピーダンス、インピーダンス６０４は、Ｙ軸上電極部２１８と接続部２２０のインピーダンスを示している。またインピーダンス６０２は、Ｙ軸下電極部２１７、金属線２１９、接続部２２１のインピーダンスを示している。
【００５４】
ここで経路Ａ，Ｂに流れる静電気の割合は、各経路のインピーダンスの割合にほぼ比例すると考えられる。ここで実施形態１に係るタッチスクリーンパネル１０４のインピーダンスを考えると、経路Ａにおける下側透明導電膜２１６のインピーダンス（例えば、３００Ω程度）は、電極部や金属線と比較して大きいため、大部分の静電気は経路Ｂに流れる。しかしながら、経路Ｂの経路長の長さは、静電気放電のような高周波領域では、無視できない程度のインピーダンスを有すると考えられるため、経路Ａ側にも、ある程度の静電気が流入してしまう。このようにして流入した静電気により、下側透明導電膜２１６がダメージを受けてしまうおそれがある。
【００５５】
そこで実施形態１では、操作部制御基板１１０において、経路Ａ側の静電気の流入を抑制するため、フェライトビーズ４０７のインピーダンスを他の配線に設けられたフェライトビーズよりも高くしている。即ち、経路Ａ側のフェライトビーズ４０７のインピーダンスを１．２ＫΩ、経路Ｂ側のフェライトビーズ４０８のインピーダンスを６０Ωとすることで、経路Ａ側への静電気の流入量を、従来の約２０分の１に抑制している。
【００５６】
ここで再び図４を参照して説明する。図４で注目すべきは、フェライトビーズ４０６〜４０９のうち、フェライトビーズ４０７のインピーダンスのみを高くしている点にある。
【００５７】
実施形態１では、各電極部からの電気信号を外部に引き出すためのフレキシブル基板２２６が形成されている辺に存在する電極部（図２では、Ｙ軸上電極部２１８）に接続されている配線２２２のみのインピーダンスを上げることが重要である。これは、前述した通り、静電気が透明導電膜を介して放電する経路のインピーダンスを、他の放電経路のインピーダンスよりも高くすることにより、透明導電膜を介して放電する経路への静電気の流入を抑制するためである。
【００５８】
よって実施形態１では、流入した静電気により透明導電膜が損傷する恐れのある放電経路のインピーダンスを、他の放電経路のインピーダンスよりも高くしている。
【００５９】
以上説明したように実施形態１によれば、フレキシブル基板が形成されている辺に存在する電極部と接続する配線経路のインピーダンスを、他の電極部と接続する配線経路よりも高いインピーダンスとしている。これにより、透明導電膜への静電気によるダメージを抑制することができる。
【００６０】
このような構成により、タッチスクリーンパネルの静電気破壊を防止でき、しかも、静電気破壊を防止するための特別な構成を含まないので、タッチスクリーンパネルの小型化、及び狭額縁化を実現することが可能となる。
【００６１】
［実施形態２］
前述の実施形態１では、タッチスクリーンパネル１０４の上側電極基板２０２及び下側電極基板２０３はともに矩形であり、Ｘ軸方向が長辺となり、Ｙ軸方向が短辺となっていて、フレキシブル基板２２６が長辺側に接続されている。
【００６２】
これに対して実施形態２では、図２のようなＸ軸方向が長辺で、Ｙ軸方向が短辺となっている矩形のタッチスクリーンパネルにおいて、フレキシブル基板２２６が短辺側に接続されている場合の構成について、図７を参照して説明する。
【００６３】
図７（Ａ）は、実施形態２に係るタッチスクリーンパネル７００の構成を説明する分解斜視図である。
【００６４】
図７（Ａ）のタッチスクリーンパネル７００は、上側電極基板７０１、下側電極基板７０２を有している。尚、ここで加飾フィルムについては説明を省略するが、前述の実施形態１の図２と同様に、上側電極基板７０１の上側に配置されている。
【００６５】
上側電極基板７０１は、可撓性を有する上側透明絶縁基材７０３を備えており、上側透明絶縁基材７０３は、矩形の透明フィルムやガラス等の透明基板により形成されている。上側透明絶縁基材７０３の下面の一部には、ＩＴＯ（tin-doped indium oxide）等により上側透明導電膜７０４が形成される。そして、この上側透明導電膜７０４のＸ軸方向の平行な２辺には、一対のＹ軸下電極部７０５とＹ軸上電極部７０６とが形成されている。更に、これら電極部７０５，７０６とは異なる一辺には、外部に引き出されるフレキシブル基板７２２の上側配線７１８，７１９と電極部７０５，７０６とを接続する接続部７０９，７１０を備える。ここで接続部７０９は金属線７０７によりＹ軸下電極部７０５と接続し、接続部７１０は、金属線７０８によりＹ軸上電極部７０６と接続される。これら電極部７０５，７０６、金属線７０７，７０８、接続部７０９，７１０は、銀ペーストを用いたスクリーン印刷により形成されている。
【００６６】
また下側電極基板７０２は、下側透明絶縁基材７１１を備えており、下側透明絶縁基材７１１は、矩形の透明フィルムやガラス等の透明基板により形成されている。下側透明絶縁基材７１１の上面の一部には、ＩＴＯ（tin-doped indium oxide）等により下側透明導電膜７１２が形成される。下側透明導電膜７１２のＹ軸方向に平行な２辺には、一対のＸ軸左電極部７１３、Ｘ軸右電極部７１４が形成される。
【００６７】
更に、電極部７１３，７１４のうちの一辺には、外部に引き出されるフレキシブル基板７２２の下側配線７２０，７２１と電極部７１３，７１４とを接続する接続部７１６，７１７を備える。Ｘ軸右電極部７１４と接続部７１７と直接接続され、Ｘ軸左電極部７１３の一方の端部と接続部７１６とは、金属線７１５により接続されている。これら電極部７１３，７１４、金属線７１５、接続部７１６，７１７は、銀ペーストを用いたスクリーン印刷により形成されている。
【００６８】
図７（Ａ）のような構成のタッチスクリーンパネル７００のような場合であっても、実施形態１と同様の考え方で、下側透明導電膜７１２の静電気破壊を防止可能である。
【００６９】
図７（Ｂ）は、実施形態２における操作部制御基板１１０の回路構成を説明する図である。
【００７０】
図７（Ｂ）で注目すべきは、実施形態１と同じく、フェライトビーズ４０６〜４０９のうち、フェライトビーズ４０７のインピーダンスだけを大きくしている点にある。
【００７１】
実施形態２では、各電極部を外部に引き出すためのフレキシブル基板７２２が形成されている辺に存在する電極部（図７（Ａ）では、Ｘ軸右電極部７１４）に接続されている接続部７２０のみのインピーダンスを高くすることが重要である。これは、前述した通り、配線７２０を経由する経路のインピーダンスを、他の静電気の流入経路のインピーダンスよりも高くすることで、Ｘ軸左電極部７１３から下側透明導電膜７１２への静電気の流入を抑制するためである。
【００７２】
よって実施形態２においても、フェライトビーズ４０７のインピーダンスを、他の配線に接続されたフェライトビーズのインピーダンスよりも高くしている。
【００７３】
以上説明したように実施形態２によれば、フレキシブル基板が形成されている辺に存在する電極部と接続するフェライトビーズのインピーダンスを、他の電極部と接続する配線よりも高いインピーダンスとしている。これにより、フレキシブル基板が形成されている辺に存在する電極部から透明導電膜への静電気の放電を抑制して、その損傷を抑制できる。これはタッチパネル７００のように、電極部の構造が変わっても適用可能である。
【００７４】
これにより、タッチスクリーンパネルの静電気破壊を防止でき、しかも、静電気破壊を防止するための特別な構成を含まないので、タッチスクリーンパネルの小型化、及び狭額縁化を実現することが可能となる。
【００７５】
尚、実施形態では、下側電極基板の接続部からの配線のインピーダンスを、他の配線のインピーダンスよりも高くするようにしたが、本発明はこれに限定されるものでなく、例えば、上側電極基板の接続部からの配線に適用しても良い。
【００７６】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００７７】
１０３…表示部、１０４…タッチスクリーンパネル、１１４…タッチスクリーンＩ／Ｆ、２０２…上側電極基板、２０３…下側電極基板、２０７…上側透明導電膜、２０８…Ｘ軸左電極部、２０９…Ｘ軸右電極部、２１６…下側透明導電膜、２１７…Ｙ軸下電極部、２１８…Ｙ軸上電極部、４０６〜４０９…フェライトビーズ、４１０〜４１３…ＴＶＳダイオード
【図１】
2018063678.tif 000003
【図２】
2018063678.tif 000004
【図３】
2018063678.tif 000005
【図４】
2018063678.tif 000006
【図５】
2018063678.tif 000007
【図６】
2018063678.tif 000008
【図７】
2018063678.tif 000009